【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
複数の図柄が設けられた図柄列を複数有した可変表示手段と、
上記可変表示手段の前面側に設けられた前面扉と、
上記遊技機本体の一部に設けられると共に、上記図柄のうち一部の図柄を視認可能とする表示窓と、
上記図柄列に設けられた図柄の変動を開始させるべく操作される始動操作手段と、
上記各図柄列に対応して設けられ、図柄の変動を停止させるべく操作される複数の停止操作手段と、
を備え、遊技者が複数の停止操作手段を各々操作することにより各図柄列を停止させた際に、前記表示窓から視認できる有効位置に前記図柄によって形成される特定図柄の組合せが成立していることを条件として遊技者に特典を付与するように構成された遊技機において、
前記複数の停止操作手段を一つの動作で操作することが可能な作動操作手段を備えることを特徴とする遊技機。
【請求項２】
前記一つの動作は、前記作動操作手段を一方向に移動させる動作である、請求項１記載の遊技機。
【請求項３】
前記作動操作手段の移動を許容する位置と前記作動操作手段の移動を妨害する位置とに移動可能な妨害手段を備える、請求項２記載の遊技機。
【請求項４】
前記複数の停止操作手段は各々押しボタン型スイッチからなり、且つ、前記作動操作手段は前記押しボタン型スイッチ上を移動可能なスライダから構成され、当該スライダを動かすことにより各押しボタン型スイッチを押し下げて各押しボタン型スイッチをＯＮ状態とすることができる構成である、請求項１乃至３の何れか１項に記載の遊技機。
【請求項５】
前記スライダは、移動されたときに前記押しボタン型スイッチと当接する箇所が傾斜状となっている、請求項４に記載の遊技機。
【請求項６】
上記複数の停止操作手段は各々押しボタン型スイッチからなり、且つ、上記作動操作手段は上記押しボタン型スイッチを押下可能な方向に回動する板状の押下板からなる、請求項１乃至３の何れか１項に記載の遊技機。
【手続補正２】
【補正対象書類名】明細書
【補正対象項目名】０００８
【補正方法】変更
【補正の内容】
【０００８】
上記課題を解決するための有効な手段を以下に示す。なお、必要に応じて、その作用等についても説明する。
また、下記課題を解決するための手段を説明するにあたり、名称の意味合いを説明しておく。
「遊技者に特典を付与する」とは、乱数抽選処理により、ビッグボーナスゲームに移行したり、レギュラーボーナスゲームに移行したりすること等をいう。
「始動操作手段」とは、最良の形態におけるスタートレバー７１等である。
「停止操作手段」とは、最良の形態におけるストップスイッチのストップスイッチ７２，７３，７４等である。
「作動操作手段」とは、最良の形態におけるスライダ２０３、押下板３１０等である。
「弾性体」とは、最良の形態における車輪２３２，２３３等である。
【手続補正３】
【補正対象書類名】明細書
【補正対象項目名】０００９
【補正方法】変更
【補正の内容】
【０００９】
手段１：
複数の図柄が設けられた図柄列を複数有した可変表示手段と、
上記可変表示手段の前面側に設けられた前面扉と、
上記遊技機本体の一部に設けられると共に、上記図柄のうち一部の図柄を視認可能とする表示窓と、
上記図柄列に設けられた図柄の変動を開始させるべく操作される始動操作手段と、
上記各図柄列に対応して設けられ、図柄の変動を停止させるべく操作される複数の停止操作手段と、
を備え、遊技者が複数の停止操作手段を各々操作することにより各図柄列を停止させた際に、前記表示窓から視認できる有効位置に前記図柄によって形成される特定図柄の組合せが成立していることを条件として遊技者に特典を付与するように構成された遊技機において、
前記複数の停止操作手段を一つの動作で操作することが可能な作動操作手段を備えることを特徴とする。
【手続補正４】
【補正対象書類名】明細書
【補正対象項目名】００１０
【補正方法】変更
【補正の内容】
【００１０】
上記構成の如く、複数の停止操作手段を一つの動作で操作することが可能な作動操作手段を備えていれば、遊技者は目押しを必要としない場合には、各停止操作手段をそれぞれ操作するという作業から開放される。したがって、停止操作手段を操作する際の遊技者の負担を軽減することができるとともに、遊技をテンポ良く進行させることができる。更に、遊技機を使用するパチンコホール等においては、遊技をテンポ良く進行させることにより、遊技機の稼働率を向上させることができる。
【手続補正５】
【補正対象書類名】明細書
【補正対象項目名】００１１
【補正方法】変更
【補正の内容】
【００１１】
手段２：手段１の遊技機において、上記複数の停止操作手段は各々押しボタン型スイッチからなり、且つ、上記作動操作手段は上記押しボタン型スイッチ上を移動可能なスライダから構成され、当該スライダを動かすことにより各押しボタン型スイッチを押し下げて各押しボタン型スイッチをＯＮ状態とすることができる構成であることを特徴とする。
通常、スロットマシン等の遊技機においては、停止操作手段は押しボタン型スイッチから構成されている。そこで、押しボタン型スイッチを備え、且つ、押しボタン型スイッチ上を移動可能なスライダを動かすことにより各押しボタン型スイッチをＯＮ状態とすることができる構成であれば、上記手段１の作用、効果が十分に発揮されることになる。
【手続補正６】
【補正対象書類名】明細書
【補正対象項目名】００１９
【補正方法】変更
【補正の内容】
【００１９】
手段９：手段１の遊技機において、上記複数の停止操作手段は各々押しボタン型スイッチからなり、且つ、上記作動操作手段は上記押しボタン型スイッチを押下可能な方向に回動する板状の押下板からなることを特徴とする。
通常、スロットマシン等の遊技機においては、停止操作手段は押しボタン型スイッチから構成されている。そこで、押しボタン型スイッチを備え、押下板を回動させることにより各押しボタン型スイッチを押し下げ可能な構成とすれば、上記手段１記載の作用、効果が十分に発揮されることになる。
【手続補正７】
【補正対象書類名】明細書
【補正対象項目名】００２６
【補正方法】変更
【補正の内容】
【００２６】
手段１６：手段１０〜１５の遊技機において、上記作動操作手段の回動通路内には、目押しが必要とされる場合に押下板の回動を阻止するための回動妨害手段が設けられていることを特徴とする。
上記構成であれば、目押しが必要とされる場合には、回動妨害手段により押下板の回動が阻止されるので、間違って押下板により押しボタン型スイッチを操作するのを防止できる。
【手続補正８】
【補正対象書類名】明細書
【補正対象項目名】０１４５
【補正方法】変更
【補正の内容】
【０１４５】
図３５に示すように、前面扉１２にストップスイッチ（押しボタン型スイッチ）の操作部３００，３０１，３０２が設けられており、この操作部３００，３０１，３０２の上側には、上記操作部３００，３０１，３０２を押下可能な方向に回動する板状の本体部３０３と、この本体部３０３における上記操作部３００，３０１，３０２に対応する位置にそれぞれ設けられたゴム、樹脂等の弾性体からなる突起部３０５，３０６，３０７とを備えた押下板（作動操作手段）３１０が設けられている。上記突起部３０５，３０６，３０７の高さＬ７、Ｌ８，Ｌ９は同じ高さとなるように設定されているが、弾性力は、突起部３０５の弾性力＜突起部３０６の弾性力＜突起部３０７の弾性力となるように規制されており、これによって、押下板３１０をＧ方向に回動させた場合には、突起部３０５により操作部３００が押圧された後、突起部３０６により操作部３０１が押圧され、最後に突起部３０７により操作部３０２が押圧されることになる。